(57)【特許請求の範囲】
【請求項１】
側板（１）と正面板（２）と側板（３）と背面板（４）及び接続板（５）を折線を介して横方向に順次連接し、両側板の下方向に底袖板（６，９）と接続板（７，１０）を、上方向に蓋袖板（１３，１５）を夫々折線を介して連接し、正面板の下方向に小底板（８）を、上方向に内正面板（１４）を夫々折線を介して連接し、背面板の下方向に大底板（１１）と係止板（１２）を、上方向に蓋板（１６）と差し込み板（１７）を夫々折線を介して連接してなる展開板（２０）を用いて、
各折線沿いに所要方向に折曲げ、糊代（２Ａ，５Ａ，７Ａ，１０Ａ）で対応する板同士を貼合して、胴体（２１）と蓋板及び対角線上の両端で交錯する大小の底板と底袖板を接続板を介して貼合した二組の可動底からなる底（２２）を形成して組立、偏平状の折畳状態から一挙動で再組立を可とする函とし、
その函を正常な形状に復帰させる過程で、大底板に連接した係止板を内正面板に沿い下降させて、次第に大底板に対し直角状に折曲がらせ、正面板の内側に貼合した内正面板係止端（１９）と正面板に連接した小底板との間に、既述の係止板を嵌め込み大底板を固定せしめると共に、その固定部分を外から解除できない構造としたことを特徴とする係止板付き底ワンタッチ式組函。
【請求項２】
蓋袖板（１３，１５）が胴体（１９）の開口部を覆い隠すと共に、両蓋袖板の先端が重なり合う大きさとしたことを特徴とする請求項１に記載の係止板付き底ワンタッチ式組函。
【発明の詳細な説明】
【０００１】
【発明の属する技術分野】
本発明は、多数の小形収納物を充填することを目的とした係止板付き底ワンタッチ式組函に関する。
【０００２】
【従来の技術】
函の目的は収納物の保護と取扱の両機能を満たすことで、目的に適う外観と構造及び材料を選択する。収納物が、大物では両機能を一体化した函を使用し、小物では機能を函別に負担させて組合せ使用することが多い。保護と取扱が主目的のときは簡単な構造で材料に緩衝機能の優れた段ボールを使用し、保護と外観が主目的のときは内部に区画を設ける等して緩衝機能を付与し、材料には板紙を使用し多色印刷等で商品価値を高める工夫をする。
【０００３】
函の基本構造は、連接した部材で囲繞した胴体と蓋と底とで構成するが、小形収納物の場合では包装の自動化が進むにつれて糊付部分が少なくなり、予め底板と底袖板を対角に接着して配置し、一挙動で底を形成するワンタッチ構造が採用され、特にアンプルやバイアルやドリンク剤等の容器を格納した小函用組函か、小函に代えて内部に区画を多数備えた函を使用する。
【０００４】
ワンタッチ底に関する先行技術に、特開平２−１８０１３９号，実開平５７−１８３２２２号，実開平４−７４６１６号，本願出願人になる実願平５−７５２６５号等の出願がある。何れも底の四枚の板の重合する二枚を対角に接着して配置し、四枚の底板個々の形状と接着場所により夫々異なる機能を生み出す構成を開示している。
【０００５】
【発明が解決しようとする課題】
底ワンタッチ式函の最大の特長は、予め組立て折畳んで置いた函を使する際の再組立が容易なことにある。然し、函の構成部材間を区切る折曲用罫線は、折曲方向とは関係なく同一方向からの加工により形成するのが普通のために、硬質材料では折曲げ後に復原力が働き、この力は加工と折曲げの方向が異なる場合はさらに強い。特に折曲線が集中するワンタッチ式の底では底板の中央部分が盛り上がり、屡々充填に支障を来すことが課題になる。
【０００６】
この課題は、底の盛り上がりを収納物の重さで矯正できる場合はよいが、軽量品の場合には収納物を複数個合わせても矯正することはできない。その結果、格納状態にばらつきが生じ、包装工程で収納物が飛び出すトラブルや、包装後の外形寸法が所要数値に収まらない事態が起きて、収納物の取扱に好ましくない影響を与える。
【０００７】
収納物の格納作業が大小複数の函を使用する多重包装では、先ず収納物を直接包装か小函に格納し、何れかを複数まとめて組函に充填し、さらに移動用の外函に充填することになるので、包装後の外形寸法の僅かな違いが、屡々上位の函に納まり切らない事態をもたらし、荷積作業を困難にして収納物の保護と運搬に好ましくない影響を与える。
【０００８】
組函に直接包装物か小函を多数充填するためには、収納物の包装形状を考慮し収納物と函の双方に好ましい充填方向を採るが、手に載る程度の組函では全数を一括して充填するのが普通で、その際の充填方向は収納物の重さが役立つ縦とは限らず役立たない横の場合もある。こうした方向特性が函にあると包装工程の円滑な進行を阻害し、包装機に余分な機能の付加を必要とし、包装コストの上昇と故障の原因となるので、充填方向を選択しない構造の函が必要になる。
【０００９】
包装機からみた充填工程の別の課題は、包装工程を円滑に進捗せしめるためには、組函に充填した収納物の凹凸を均す必要があることで、蓋袖板や蓋板を折曲げる包装の終期工程では特に重要になる。この均し作業は、組函に充填する収納物が大物ほど容易であり、小物ほど多数の収納物を凹凸なく充填するには、別途手段を必要とすることがあり包装機側への負担も少なくない。
【００１０】
既述の底ワンタッチに係わる先行技術で、実開平４−７４６１６号には底板の一枚を底面積と同等の大きさとして、中央の盛り上がりを一枚の底板の傾斜に換え、その傾斜を収納物の重さで矯正する考案であるが、この考案は大形重量物には有効であるが小形軽量物には同等効果を期待することは難しい。また特開平２−１８０１３９号と実開平５７−１８３２２２号及び実願平５−７５２６５号の出願には底の盛り上がり防止に関する記述はみられない。
【００１１】
【課題を解決するための手段】
本発明は、底ワンタッチ式函の再組立に際し底が盛り上がる課題を解決し、組函に収納物を充填する際に起きる凹凸を矯正して蓋板の正常な装着を助ける蓋袖板を備えた係止板付き底ワンタッチ式組函の提供を目的とする。
【００１２】
本発明は、側板と正面板と側板と背面板及び接続板を折線を介して横方向に順次連接し、両側板の下方向に底袖板と接続板を、上方向に蓋袖板を夫々折線を介して連接し、正面板の下方向に小底板を、上方向に内正面板を夫々折線を介して連接し、背面板の下方向に大底板と係止板を、上方向に蓋板と差し込み板を夫々折線を介して連接してなる展開板を用いて、
各折線沿いに所要方向に折曲げ、糊代で対応する板同士を貼合して、胴体と蓋板及び対角線上の両端で交錯する大小の底板と底袖板を接続板を介して貼合した二組の可動底からなる底を形成して組立、偏平状の折畳状態から一挙動で再組立を可とする函とし、
その函を正常な形状に復帰させる過程で、大底板に連接した係止板を内正面板に沿い下降させて、次第に大底板に対し直角状に折曲がらせ、正面板の内側に貼合した内正面板係止端と正面板に連接した小底板との間に、既述の係止板を嵌め込み大底板を固定せしめると共に、その固定部分を外から解除できない構造としたことを特徴とする係止板付き底ワンタッチ式組函である。
【００１３】
【発明の実施の形態】
本発明の底ワンタッチ式組函は、底と同等の面積を持つ一方の底板に連接して設けた係止板を、組立過程で側板内面下に設けた係止端で固定し、底の盛り上がりを防止する構造を第一の特長とする。この係止構造は組立が終わると外からの解除が不可能となり、底ワンタッチ式だけの構造に比べ、底から収納物の抜き取り又は差し込み等の不正開封の防止効果を向上した。
【００１４】
組函に多数の小函を充填すると個々の上下方向姿勢（凹凸）に不揃いが生じ矯正が必要になる。この為に蓋袖板面積を胴体の開口部以上として重なり部分をつくり、折曲げ工程を利用しながら蓋袖板で充填物を抑えて重ね合せ、次いで蓋板を折曲げ差し込み板を胴体へ挿入し、矯正の目的を達成する構造を第二の特長とする。この両特長により包装機の包装精度を格段に向上した。
【００１５】
小形収納物は自動化の対象とし易く底ワンタッチ式函を使用することが多い。係止構造を持たない底ワンタッチ式組函による自動包装は、収納物の包装工程への飛び出しや包装後の函に寸法狂いを生み易く荷姿不良を生む原因につながる。本発明の組函を利用した自動包装では、底の係止構造と蓋袖板の拡大が貢献し、荷姿不良の発生を大幅に低下した。
【００１６】
【作用】
本発明の係止板付き底ワンタッチ式組函は、平底を保つ係止構造の付加と蓋袖板の拡大で、収納物の充填に起因する不正常な包装状態を解消した。
【００１７】
【実施例】
図１は係止板付き底ワンタッチ式組函の展開板を示し、図２から図６に図１に於ける展開板の構成部材の折曲げと貼合の順序を示し、図７（Ａ，Ｂ，Ｃ）に係止構造の働きを示し、図８に蓋袖板を閉じた状態の函を示し、図９，１０に組函への小函の挿入時に起きる凹凸と蓋袖板による均しの各状態を示した。図１０は従来の底ワンタッチ式組函を参考として示した。
【００１８】
図１の展開板２０はブランクシートから打ち抜いてつくるが、その加工過程に含まれた切り込みや罫線等の諸加工は、特別な条件がない限り材料の一方向面から行うため、硬い材料では折曲げ後の復原力が強く、特に底ワンタッチ式では折曲線が底に集まり、他の折曲部分に比べて復原力がより強く注意が必要である。本実施例では、一方の底板の幅を拡げて先端に係止板を形成し函の内面に設けた係止端と組合せて固定し、折曲線が函形状に影響しないようにした。
【００１９】
展開図に従い組立順序を下記に説明する。横一方向に連接した側板１，３と正面板２と背面板４及び接続板５で胴体２１を形成し、両側板１，３の下方向に三角状の底袖板６，９と接続板７，１０を、上方向に一枚で開口面の半分以上を覆う蓋袖板１３，１５を夫々連接し、正面板２の下方向に小底板８を、上方向に内正面板１４を夫々連接し、背面板４の下方向に大底板１１と係止板１２を、上方向に蓋板１６と差し込み板１７を夫々連接し、連接部分には押し罫かリード罫による折線を配した。側板１の充填物を見る窓１８は必須の構成要件としない。
【００２０】
図２から図６に展開板２０を折畳、偏平状の函とするまでの過程を示した。図２は図１から正面板２に連接した同板より短高の内正面板１４を横折線ｂ沿いに折曲げて、正面板に重ね糊代２Ａで貼合した状態である。図３は図２から底袖板６，９と底板８，１１を横折線ｃ沿いに折曲げ対応する板に重ねた状態である。図４は図３から接続板７，１０を斜め折線ｄ沿いに折曲げて、底袖板６，９に重ね糊代７Ａ，１０Ａを形成した状態である。
【００２１】
図５は図４から側板３と背面板４間の縦折線ａ沿いに折曲げて、大底板１１の上面に接続板１０を重ね糊代１０Ａで貼合し糊代５Ａを形成した状態を示した。図６は図５から側板１と正面板２間の縦折線ａ沿いに折曲げて、小底板８上面に接続板７を重ね糊代７Ａで貼合し、側板１と接続板５を糊代５Ａで貼合した状態を示し、この段階で組立は完了し使用まで偏平状態で保管する。
【００２２】
底２２を形成するに際し、大形化した接続板７，１０を対応する底板８，１１の外面に貼合するので、組立に際し底形成が容易になること、接続板の折線を強化し糊代拡大と糊の食み出し防止に役立ち、充填時の衝撃による貼合部分の剥離と折線切断の心配を減らした。尚、大底板の一部に折曲げ易いリード罫による斜め折線ｅを入れて三角片１１Ａを形成し、再組立の際に胴体内面に接触して折曲がり、摩擦抵抗を緩和すると共に組立を容易にした。
【００２３】
図７（Ａ，Ｂ，Ｃ）は一挙動で組立中の底部分の斜視図と太線による断面図二態を示し、図７（Ａ）は両側面１，３と正背の両面板２，４で囲繞した胴体２１に力を加えると、底板８，１１と対応する底袖板６，９を接続板７，１０を介して対角線の両端で貼合した二組の可動底からなるワンタッチ底２２は、胴体２１の組立が進むにつれ胴体が偏平状（不図示）から菱形状（不図示）を経て方形状に形を変え、底を形成する状態を示した。
【００２４】
図７（Ｂ）は胴体２１の組立を継続し小底板８と大底板１１を水平に近づけ、大底板に連接した係止板１２が内正面板１４の上端に斜接し、大底板は傾斜し未固定の状態を示した。図７（Ｃ）は胴体の組立が終了して底板が水平になると、大底板に連接したリード罫による折線ｆより曲がる係止板が小底板と内正面板の係止端１９の間に収まり底板が固定した状態を示した。底から係止端までの距離は係止板より長めとし、固定した底板は外からは解除できない。
【００２５】
小底板８と係止端１９及び係止板１２とで大底板１１を固定することにより、ワンタッチ底が折曲部分の復原力で盛り上がる課題を解決した。この構造により平坦な底の提供が可能となり係止機造を持たないワンタッチ底に比べ、組函内で収納物の充填状態がばらつくことがなくなり、包装工程での収納物の飛び出しもなく、蓋閉め後の函寸法が所要範囲に納まり、外函（輸送函）への充填に支障を来すことがなくなった。
【００２６】
図８は蓋板１６を閉じる前の蓋袖板１３，１５を閉じ中央で充分に重なり合せた状態を示し、蓋袖板は通常の函に比べて全小函を覆うように長くしたので凹凸の矯正に都合がよい。然し、本組函のように底板の一方を大底板として固定しても、図９に示すように複数の小函を組函に自動充填する際には、小函同士の側面摩擦で凹凸を完全になくすことは難しい。
【００２７】
僅かに凹凸がある状態でも蓋板を無理に閉じると、函の形が崩れ所要寸法に収まらない可能性が残る。図１０は組函２３の蓋袖板１３，１５で全小函の頭部を覆った状態を示し、長い蓋袖板は折曲げと均しの各力を小函の頭部に伝え凹凸の矯正がし易い。凹凸を均すことは蓋板１６と差し込み板１７の折曲げの際にも無理がなく所要寸法の函に仕上げ易い。背面板４の折線ｇは左右の切り込みと併せ蓋板を外した時に、充填物を取り出し易くすることを目的とする。
【００２８】
図１１は従来式の底ワンタッチ式組函２４の断面図を参考に示した。従来式では底を固定しないので、通常空函のとき底が内側にＨだけ盛り上がり、重い収納物では難なく平らに矯正できるが、軽いと別途収納物を押える補助手段を必要とし、函の姿勢を損なう荷姿不良が２０％程度に達することがある。本発明の係止板付き底ワンタッチ式組函２３では荷姿不良の発生を殆どゼロに抑えた。
【００２９】
本発明による係止板付き底ワンタッチ式組函２３は従来形式の底ワンタッチ式組函２４と比べ、展開板用の材料と加工の手間が僅かに増加したが、製造コストに影響を及ぼす程ではなかった。本実施例では小物を格納した軽量の小函を対象に説明したが、軽量で尖形や球形の頭部を備えた細い物や重い物等の直接包装物を対象とすることもできる。また、材料に板紙を使用したが他種類の紙や合成樹脂等でもよい。
【００３０】
【発明の効果】
係止板付き底ワンタッチ式組函により下記の効果を得た。
▲１▼組函の底を固定し空時も平らを保つことで、収納物の充填むらと凹凸の発生を防止し、包装後の組函寸法を所要数値内に収め、荷姿不良を大幅に減らした。
▲２▼長い蓋袖板で収納物の充填むらを均し、包装後の組函寸法を所要数値内に収める助けとし、荷姿不良の大幅減少に寄与した。
▲３▼収納物の充填むらによる凹凸を僅かとし、凹凸に起因する収納物の工程への飛び出しを防止した。
▲４▼組函の底を固定する係止構造を外から解除不可としたので、抜き取りや押し込み等の不正開封防止の効果を得た。
▲５▼底袖板の接続板を底板の外面に固定したので、糊代拡大による接着強化と折線を長くして、自動組立充填の際に糊の食み出しを解消し底の複合貼合部分からの剥離と折線破断を防止した。
▲６▼大底板の採用と固定により中身の抜け落ちを防止した。
▲７▼トラブル防止で生産性向上とコスト低減に寄与した。
【図面の簡単な説明】
【図１】係止板付き底ワンタッチ式組函の展開図である。
【図２】図１から内正面板の内側に折曲げ貼合した状態を示した。
【図３】図２から両底板と両底袖板を内側に折曲げた状態を示した。
【図４】図３から両接続板を内側に折曲げた状態を示した。
【図５】図４から背面板を内側に折曲げ貼合した状態を示した。
【図６】図５から側板を内側に折曲げ貼合した状態を示した。
【図７】（Ａ）斜視図は底の組立開始段階を、（Ｂ）図は係止板が内正面板に接触した状態の断面を、（Ｃ）図は係止板を内正面板の係止端に嵌め込み底板を固定した状態の断面を夫々示した。
【図８】蓋袖板を重ね合わせた状態を斜視図で示した。
【図９】組函に多数の小函を充填し凹凸が生じた状態を斜視図で示した。
【図１０】組函に多数の小函を充填し蓋袖板で凹凸を矯正した状態を斜視図で示した。
【図１１】従来式のワンタッチ底の断面図でを示した。
【符号の説明】
１，３                    側板
２                        正面板
２Ａ，５Ａ，７Ａ，１０Ａ  糊代
４                        背面板
５                        接続板
６，９                    底袖板
７，１０                  接続板
８                        小底板
１１                      大底板
１１Ａ                    三角片
１２                      係止板
１３，１５                蓋袖板
１４                      内正面板
１６                      蓋板
１７                      差し込み板
１８                      窓
１９                      係止端
２０                      展開板
２１                      胴体
２２                      底
２３                      組函
ａ，ｂ，ｃ，ｄ，ｇ        押罫による折線
ｅ，ｆ                    リード罫による折線
【図１】
0004268294.tif 000002
【図２】
0004268294.tif 000003
【図３】
0004268294.tif 000004
【図４】
0004268294.tif 000005
【図５】
0004268294.tif 000006
【図６】
0004268294.tif 000007
【図７】
0004268294.tif 000008
【図８】
0004268294.tif 000009
【図９】
0004268294.tif 000010
【図１０】
0004268294.tif 000011
【図１１】
0004268294.tif 000012